(57)【特許請求の範囲】
【請求項１】
リール装着部を有する釣竿において、竿杆本体のリール装着部に対応する所定位置が、その前側領域に対して段差状に縮径しており、該段差状縮径部は、その後方領域よりも大径であり、該後方領域の外側に握り部の嵌着部を套嵌させていることを特徴とする釣竿。
【請求項２】
前記段差状縮径部以降の手元側領域は段差部を有していない請求項１記載の釣竿。
【請求項３】
前記段差状縮径部よりも後方領域の竿杆本体の肉厚が、段差状縮径部の竿杆本体肉厚以下に形成されている請求項１又は２記載の釣竿。
【請求項４】
リール装着部を有する釣竿において、竿杆本体のリール装着部に対応する所定位置が、その前側領域に対して段差状に縮径しており、該段差状縮径部以降の手元側領域は後方に向かって縮径したテーパ状か、一部ストレート状であり、内径が後方に向かって縮径している領域を有する筒状リールシートが竿杆本体の外側に後端から套嵌されて接着固定されていることを特徴とする釣竿。
【発明の詳細な説明】
【０００１】
【発明の属する技術分野】
本発明は、リール装着部を有する釣竿に関する。
【０００２】
【従来の技術】
リールを装着するタイプの釣竿では、竿杆本体に固定フード部や移動フード部を設ける必要がある。この場合、移動フード部を竿杆の長手方向に移動可能に案内するレール部や固定フード部を、合成樹脂等の射出成形等によって竿杆本体に対して一体的に設けることもできる。しかし、これは一般にコスト高となるため、通常は、レール部や固定フード部を有する筒状のリールシート本体を、射出成形等によって別部品として形成しておき、これを後から竿杆本体に挿入、固定する方法が採られる。こうしてリール装着部を設けた釣竿が、例えば実公平７−３７５０１号公報に開示されている。この公報に開示の釣竿では、筒状のリールシート本体２は、竿杆本体１に一体化させた肉盛部８に先端を当接させて位置決めしている。
【０００３】
【発明が解決しようとする課題】
この肉盛りを塗料で形成した場合は、竿杆の曲げ強度補強にはならず、竿杆本体と筒状リールシート本体とが重なったリール装着部はその分曲げ強度が向上するが、逆に、その筒状リールシート本体の直前部位では竿の撓みによる応力集中が生じる。また、肉盛りを竿杆本体と同質材で形成した場合は、竿杆の強度補強になり、肉盛部位は強度が向上する。然しながら、肉盛部の直後部位は、竿杆が段差状に縮径している形態と同じであり、竿が撓みを受けた際には、ここに応力が集中することになり、この部位の竿杆強度向上が問題となる。また、筒状リールシート本体を竿杆に接着固定する場合、接着剤を充分に充填する必要もある。依って本発明は、リール装着部において、竿杆本体の段差状縮径部における応力集中防止と、握り部嵌着部の設計自由度向上を目的とする。
又これに加えて軽量化を目的とする。
【０００４】
【課題を解決するための手段】
上記目的に鑑みて本発明の請求項１では、リール装着部を有する釣竿において、竿杆本体のリール装着部に対応する所定位置が、その前側領域に対して段差状に縮径しており、該段差状縮径部は、その後方領域よりも大径であり、該後方領域の外側に握り部の嵌着部を套嵌させていることを特徴とする釣竿を提供する。
段差状縮径部以降において、該段差状縮径部が最も大径であるため高剛性にでき、応力集中を防止できる。また、後方領域は相対的に小径であり、必要以上に高剛性にしておらず、無駄が無い。また、後方領域外側に握り部の嵌着部を套嵌させるが、後方領域が小径である為、その分、嵌着部を小径小型化でき、嵌着部を含む握り部の設計自由度が向上する。
【０００５】
請求項２では、前記段差状縮径部以降の手元側領域は段差部を有していない請求項１記載の釣竿を提供する。
段差状縮径部以降の手元側領域は段差部を有していないため、テーパ部と部分的なストレート部以外は無く、不用意な応力集中を生じ難い。
請求項３では、前記段差状縮径部よりも後方領域の竿杆本体の肉厚が、段差状縮径部の竿杆本体肉厚以下に形成されている請求項１又は２記載の釣竿を提供する。
後方領域は、段差状縮径部の肉厚以下であるため、軽量化に寄与する。
【０００６】
請求項４では、リール装着部を有する釣竿において、竿杆本体のリール装着部に対応する所定位置が、その前側領域に対して段差状に縮径しており、該段差状縮径部以降の手元側領域は後方に向かって縮径したテーパ状か、一部ストレート状であり、内径が後方に向かって縮径している領域を有する筒状リールシートが竿杆本体の外側に後端から套嵌されて接着固定されていることを特徴とする釣竿を提供する。
竿杆本体の段差状縮径部以降の手元側領域が、後方に向かって縮径したテーパ状か、一部ストレート状であるため、少なくとも筒状リールシート内周か、或いは竿杆本体外周に接着剤を塗布し、竿杆本体の外側に後端から、内径が後方に向かって縮径している領域を有する筒状リールシートを挿入すれば、接着領域に接着剤を充分残した状態で竿杆本体と筒状リールシートとが相対し、強固な接着作用を果たすと共に、竿杆本体の段差状縮径部以降の手元側領域において、段差状縮径部が最も外径が大きく、撓み時の応力集中防止になる。
【０００７】
【発明の実施の形態】
以下、本発明を添付図面に示す実施形態例に基づき、更に詳細に説明する。
図１は本発明に係る釣竿の要部側面図であり、図２はその縦断面図である。エポキシ樹脂等の合成樹脂をマトリックスとし、炭素繊維等の強化繊維で強化した繊維強化樹脂製の竿杆本体１０の所定領域に、合成樹脂製や繊維強化樹脂製の筒状リールシート１２が竿杆本体の外側に後端から挿入されて、接着剤で固定されている。また、更にその後ろの外側に、握り部１４が套嵌され、固定されている。
【０００８】
竿杆本体所定位置には、外径が、その前側領域の竿杆本体外周から漸次拡径し、後方に向かって増加した膨出部１０Ａを形成しており、その直後に外径が急減した段差状縮径部１０Ｂを形成している。該段差状縮径部以降の手元側領域１０Ｂ，１０Ｃ，１０Ｄは、全体として後方に向かって縮径しており、段差状縮径部の外径Ｄ１が最大である。しかし、例えば、段差状縮径部１０Ｂよりも後方の領域の一部でもある端部側領域１０Ｄの外径をストレート状にしてもよい。また、膨出部１０Ａの長さＬは、３０〜１００ｍｍにするとよい。これ以上長ければ膨出部領域の撓み剛性が高くなり過ぎ、段差状縮径部１０Ｂへの応力集中が強くなり過ぎ、これ以下では径が急変し、この膨出部の直前位置等で破損が生じ易い。
【０００９】
筒状リールシート１２の前部には固定フード１２Ａが設けられており、その後方位置には移動フード１２Ｂが配設されている。また、内径が前端から後端に亘って縮径した筒状リールシートは、竿杆本体後端から竿杆本体の外側に套嵌させ、段差状縮径部１０Ｂと膨出部１０Ａの境界壁面に先端を当接させた状態で接着固定している。
【００１０】
組込みに際して、竿杆本体の領域１０Ｃ外周に接着剤を予め塗布しておき、筒状リールシート１２を竿管本体後端から套嵌させると、領域１０Ｃの外径は後方程小径であり、筒状リールシート１２の内径は前方程大径であるため、套嵌作業の際に、予め塗布されている接着剤を擦り取ることが防止され、領域１０Ｃ外周と筒状リールシート１２内周との間に、充分な接着剤を存置させて接着固定できる。
【００１１】
更には、釣竿は大きな撓み荷重を受けるため、一般に段差状縮径部１０Ｂには応力集中が生じるが、ここでは、段差状縮径部以降の手元側領域の中で段差状縮径部は最大外径を有するように構成しており、また、この例では段差状縮径部以降の手元側領域の肉厚は概ね一定としているため、段差状縮径部１０Ｂは高剛性となり、応力集中が防止される。更には、段差状縮径部以降の手元側領域外径は後方ほど縮径しており、肉厚は概ね一定であるため、手元側領域が段差状縮径部１０Ｂの外径Ｄ１でストレート状に形成されている場合と比べれば、より軽量になっている。しかし、肉厚は概ね一定にする必要は無く、後述の図４の場合のように、後方ほど薄くしたり、或いは厚くしてもよい。
【００１２】
段差状縮径部以降の手元側領域１０Ｂ，１０Ｃ，１０Ｄ外径は、後方に向かって縮径しているため、握り部１４の嵌着部１４Ｋの套嵌する領域１０Ｄは、手元側領域の中で最小の外径を有している。従って、握り部１４の嵌着部１４Ｋが小径化できるため、嵌着部を含む握り部１４の設計自由度が向上する。
【００１３】
筒状リールシートは合成樹脂製又は繊維強化樹脂製であるが、筒状リールシート端部の竿杆本体１２に対する応力集中を防止するためには、竿杆本体よりも軟質な材料の合成樹脂で形成することが好ましい。また、筒状リールシート１２が無い状態において、マトリックス樹脂としてのエポキシ樹脂に強化繊維として炭素繊維を主に使用した繊維強化樹脂製の握り部１４と竿杆本体１０を接合した架空の釣竿で、握り部１４よりも筒状リールシート１２に対応する領域１０Ｃが撓み易ければ、筒状リールシート１２をポリアミド（ナイロン（商品名））又はこれと同等以下の弾性率の合成樹脂で形成すれば、この筒状リールシートを装着した実釣竿に、竿を破壊するに近い大きな撓み力が作用した場合、釣人は握り部よりも筒状リールシート部位の変形を先に検知可能であり、これによって釣竿を破損しないように竿操作することができる。
【００１４】
また、段差状縮径部以降の手元側領域に筒状リールシート１２を挿入嵌合させる場合であって、筒状リールシートの内径が一定の場合のように、筒状リールシートと竿杆本体との嵌合が、先端部において後端部よりもきつい場合は筒状リールシートの先端部を後端部よりも厚く形成すると、段差状縮径部１０Ｂに圧入されても、割れ等の破損を防止し易い。
更には、筒状リールシート１２の前端と後端に位置する竿杆本体の各外径Ｄ１，Ｄ２の差は、０．２〜２．０ｍｍ（好ましくは０．５〜２．０ｍｍ）程度が良い。差が０．２ｍｍよりも小さければ本願の効果が無く、差が２．０ｍｍよりも大きければ、握り部とリール装着部を含むハンドル部としての操作性が悪くなる。
【００１５】
竿杆本体の前記領域１０Ｃ外径と筒状リールシート１２の内径との直径差が、０．１〜０．６ｍｍ程度であれば、固定位置において接着剤が存置でき、好ましい。また、筒状リールシート１２の長さの５０〜８０％の長さ範囲においてこのような径差を有することが好ましい。
【００１６】
図３は、図２の変形例である。異なるのは、膨出部１０Ａ’の後端側外表面１０ＡＳがストレート状であることであり、この場合も、図２の場合と同様に、段差状縮径部１０Ｂが後方よりも大径であるため、段差状縮径部が応力集中に対して強い。このように、本願では膨出部の外周輪郭は種々の形態がある。
【００１７】
膨出部と段差状縮径部との半径差ｔは、０．４〜１．１ｍｍ程度が好ましい。０．４ｍｍよりも薄ければ該段差部が裂ける虞があり、１．１ｍｍよりも厚ければ応力集中が大きくなるからである。段差状縮径部１０Ｂの肉厚Ｔ１に対して、０．５〜１．２倍程度が好ましい。この半径差ｔに関する事項は、この例に限らず、他の例にも適用できる一般的事項である。
【００１８】
図４は他の変形例を示しており、図２の場合と異なるのは、段差状縮径部以降の手元側領域の内径を、段差状縮径部の内径ｄ１と概ね同じストレート状（テーパ率が１／１０００以下）にしているため、この領域の肉厚は、段差状縮径部の肉厚Ｔ１が最大で、その後方は漸次薄く形成されている。従って、図２の場合よりも、更に軽量化に寄与している。
【００１９】
図５は、図２の他の変形例を示している。異なるのは、段差状縮径部以降の手元側領域の内、図２の場合の領域１０Ｃがストレート状の２つの領域１０Ｃ１，１０Ｃ２に分割されており、また、内径が概ね一定のストレート状であり、各領域１０Ｃ１，１０Ｃ２の外径は、後方の領域１０Ｃ２の方が小径であり、各領域の境界に段差が生じている。従って、領域１０Ｃ１の肉厚が厚く、後ろ領域１０Ｃ２の肉厚の方が薄い。然しながら、後ろ領域１０Ｃ２は外径がストレート状であるため、図４の場合と異なり、段差状縮径部以降の手元側領域の後端部の肉厚を極端に薄くしないで済む。また、領域１０Ｄの肉厚は領域１０Ｃ２と概ね同じである。
【００２０】
この領域１０Ｃ１，１０Ｃ２の境界位置は、両フード間の真中位置程度がよい。それは、リール装着部を握持した際の手の中指が、一般に、両フード間の真中よりも前側に位置し、該中指位置が釣竿保持の支点となって釣竿が撓んでも、厚肉の領域１０Ｃ１の存在によって耐久性が向上し、釣竿操作が安定するからである。また、魚が掛かった際に、釣糸を介してリールが竿杆寄りの斜め前方に引かれるが、その際、リール脚の前部によって、筒状リールシート１２を介して竿杆本体を押し潰すように作用するが、この押される部位の竿杆本体領域１０Ｃ１は厚肉であるため、潰れ強度が向上する。
【００２１】
一方、筒状リールシート１２の内周１２Ｈは、領域１０Ｃ１に対面する領域では０．１ｍｍ程度の小さな直径差を有し、領域１０Ｃ２に対面する領域では０．６ｍｍ程度の大きな直径差を有している。従って、領域１０Ｃ２の領域で接着剤が充分に存置され、固定力が確保される。
【００２２】
以上の例では、筒状リールシートを竿杆本体とは別体に形成し、それを組み立てて釣竿を形成したが、本発明はこれに限らず、成形した竿杆本体に対して、射出成形によって筒状リールシートを一体化させてもよい。
【００２３】
【発明の効果】
以上の説明から明らかなように本発明によれば、リール装着部において、竿杆本体の段差状縮径部における応力集中防止と、握り部嵌着部の設計自由度向上が図られる。
【図面の簡単な説明】
【図１】図１は本発明に係る釣竿の要部側面図である。
【図２】図２は図１の竿杆の縦断面図である。
【図３】図３は図２の変形例の要部拡大図である。
【図４】図４は図２の他の変形例の要部拡大図である。
【図５】図５は図２の他の変形例の縦断面図である。
【符号の説明】
１０                竿杆本体
１０Ａ              膨出部
１０Ｂ              段差状縮径部
１２                筒状リールシート
１４                握り部
１４Ｋ              嵌着部
【図１】
0004540894.tif 000002
【図２】
0004540894.tif 000003
【図３】
0004540894.tif 000004
【図４】
0004540894.tif 000005
【図５】
0004540894.tif 000006